(57)【特許請求の範囲】
【請求項１】
プロペラシャフト（１１）等の回転軸の内周側に取り付けられるダイナミックダンパー（１）において、
前記回転軸の内周側に配置される断面コ字形または略コ字形のケース（４）の外周側に前記回転軸の内周に圧入されるゴム部（５）を設けるとともに前記ケース（４）の内側にマス（２）を保持するためのゴム部（６）を設けた成形品（３）を二つ用いて前記マス（２）を軸方向両側から挟み込む構造を有し、
前記ケース（４）の内側に設けたゴム部（６）に軸方向に突出する突起部（７）と凹み部（８）とを円周上交互に設け、前記マス（２）を挟み込む際、一方の前記成形品（３）の突起部（７）と他方の前記成形品（３）の凹み部（８）とを組み合わせ、このとき前記突起部（７）と凹み部（８）との間に隙間（９）を形成し、前記隙間（９）にシリコンオイルまたはグリス等の液体を封入したことを特徴とするダイナミックダンパー。
【発明の詳細な説明】
【０００１】
【発明の属する技術分野】
本発明は、防振技術に係るダンパーに係り、更に詳しくはプロペラシャフト等の回転軸の内周側に取り付けられるシャフト内挿型のダイナミックダンパーに関するものである。
【０００２】
【従来の技術】
従来から、図３に示すように、スリーブ５２と前記スリーブ５２の内周側に配置されるマス５３とをゴム部５４を介して連結してなり、前記スリーブ５２をプロペラシャフト５５の内周側に圧入することによってプロペラシャフト５５の中空部５６に装着されるシャフト内挿型のダイナミックダンパー５１が知られており、このダイナミックダンパー５１は、マス５３が振動してゴム部５４が弾性変形することにより減衰を発生させる構造となっている（特開２０００−２８３１３８公報参照）。
【０００３】
しかしながら、上記従来のダイナミックダンパー５１においては、ゴム部５４にマス５３が直接加硫接着されているために、当該ダイナミックダンパー５１の共振周波数をそれほど低く設定することができず、よって低周波大振幅の振動を有効に減衰させることができないことがある。
【０００４】
【発明が解決しようとする課題】
本発明は以上の点に鑑みて、プロペラシャフト等の回転軸の内周側に取り付けられるダイナミックダンパーにおいて、共振周波数を比較的低く設定することができ、もって低周波大振幅の振動を有効に減衰させることができるダイナミックダンパーを提供することを目的とする。
【０００５】
またこれに加えて、比較的大きな減衰力を発揮することができ、もってこの点からも低周波大振幅の振動を有効に減衰させることができるダイナミックダンパーを提供することを目的とする。
【０００６】
【課題を解決するための手段】
上記目的を達成するため、本発明の請求項１によるダイナミックダンパーは、プロペラシャフト等の回転軸の内周側に取り付けられるダイナミックダンパーにおいて、前記回転軸の内周側に配置される断面コ字形または略コ字形のケースの外周側に前記回転軸の内周に圧入されるゴム部を設けるとともに前記ケースの内側にマスを保持するためのゴム部を設けた成形品を二つ用いて前記マスを軸方向両側から挟み込む構造を有し、前記ケースの内側に設けたゴム部に軸方向に突出する突起部と凹み部とを円周上交互に設け、前記マスを挟み込む際、一方の前記成形品の突起部と他方の前記成形品の凹み部とを組み合わせ、このとき前記突起部と凹み部との間に隙間を形成し、前記隙間にシリコンオイルまたはグリス等の液体を封入したことを特徴とするものである。
【０００８】
上記構成を備えた本発明の請求項１によるダイナミックダンパーにおいては、マスを加硫接着せず、ケースの内側にマス保持用のゴム部を設けた成形品を二つ用いてマスを軸方向両側から挟み込み、しかもゴム部に凹凸（突起部および凹み部）を設けた構造としたために、この凹凸を設けたゴム部によってマスを軸方向両側から軟らかく保持することでき、よって共振周波数を比較的低く設定することが可能となる。
【００１０】
また、マスを挟み込んだ状態で凹凸間に形成される隙間にシリコンオイルやグリス等の液体を封入することにより、マスが振動したときに各隙間の形状や容積が変化するために、液体が流動し、よってその流動抵抗により大きな減衰力を得ることが可能となる。
【００１１】
尚、本件出願には、以下の技術的事項が含まれる。
【００１２】
すなわち、上記目的を達成するため、本件出願が提案する一のダイナミックダンパーは、プロペラシャフト等の回転軸の内周側に取り付けられるダイナミックダンパーにおいて、コの字断面のケースの外周側にプロペラシャフト内周に圧入されるゴム部と、ケースの内側にマスを保持するためのゴム部が加硫接着された加硫品二個でマスを両側から挟み込んだ構造としたものであり、またこれに加えて、ケース内周のゴム部は軸方向に突起部と凹み部が円周上の交互に配され、挟み込む際にお互いの突起部と凹み部を組み合わせるとき、隙間が発生する形状とし、この隙間にシリコンオイル・グリス等の液体を封入した構造としたものである。
【００１３】
【発明の実施の形態】
つぎに本発明の実施例を図面にしたがって説明する。
【００１４】
図１は、本発明の実施例に係るダイナミックダンパー１をプロペラシャフト１１の内周に取り付けた状態を示しており、同図（Ａ）はその断面図、同図（Ｂ）は同図（Ａ）におけるＡ−Ｏ−Ａ線断面図をそれぞれ示している。また、図２は同ダイナミックダンパー１における成形品３の単品図であって、同図（Ａ）はその断面図、同図（Ｂ）は同図（Ａ）におけるＢ−Ｏ−Ｂ線断面図をそれぞれ示している。
【００１５】
当該実施例に係るダイナミックダンパー１は、以下のように構成されている。
【００１６】
すなわち先ず、図１に示すように、当該ダイナミックダンパー１を取り付けるプロペラシャフト１１の中空部１２の軸芯位置に配置される質量体としてのマス２が設けられており、円柱形を呈するこのマス２が、全体を符号３で示す成形品（加硫品）を二つ用いて軸方向両側から挟み込まれている。
【００１７】
二つの成形品３は互いに同じ形状とされて部品が共用化されており、それぞれ以下のように構成されている。
【００１８】
すなわち、図２に示すように、有底円筒形を呈して断面コ字形または略コ字形を呈する金属製のケース４の外周部にプロペラシャフト１１の内周に圧入される環状のゴム部５が加硫接着されるとともに、ケース４の内周部にマス２を保持する環状のゴム部６が加硫接着されており、更にこの内周側のゴム部６に、軸方向に突出する突起部７と凹み部８とが円周方向に交互に一体成形されている。突起部７および凹み部８は図上十二等配されている。また、この内周側のゴム部６には、マス２を径方向に位置決めして支持する円筒状の支持面６ａと、マス２を軸方向に位置決めして支持する平面状の支持面６ｂとが設けられている。
【００１９】
上記成形品３は、これを二つ軸方向に向かい合わせてマス２を軸方向両側から挟み込んで保持するものであって、この挟み込みに際して、一方の成形品３の突起部７と他方の成形品３の凹み部８とを噛み合わせると、この突起部７および凹み部８間に隙間９が形成されるよう構成されており、これを予定して一対の成形品３間に予めシリコンオイルまたはグリス等の粘性流体等の液体（図示せず）を充填する。挟み込み後、充填された液体は各突起部７および凹み部８間の隙間９に封入されることになる。
【００２０】
上記構成のダイナミックダンパー１によれば、以下の作用効果を奏することが可能である。
【００２１】
すなわち先ず第一に、上記従来技術のようにマスを加硫接着することなく、ケース４の内周部にマス保持用のゴム部６を加硫接着した成形品３を二つ用いてマス２を軸方向両側から挟み込む構造であって、しかもゴム部６に互いに噛み合わされる突起部７および凹み部８を一体成形した構造であるために、この突起部７および凹み部８を設けたゴム部６によってマス２を軸方向両側から比較的軟らかく保持することが可能である。したがって当該ダイナミックダンパー１の共振周波数を比較的低く設定することが可能となり、これにより低周波大振幅の振動を有効に減衰させることができる。
【００２２】
また、上記したように突起部７および凹み部８間に形成される隙間９にシリコンオイルまたはグリス等の液体が封入されているために、作動時、マス２が振動するとゴム部６（突起部７および凹み部８）が弾性変形し、これにより隙間９の形状や容積が円周上の位置によって変化する。したがってこれにより液体が隙間９内を流動し、このときの流動抵抗によって比較的大きな減衰力が発生するために、この点からも低周波大振幅の振動を有効に減衰させることができる。この液体による高減衰は、シャフト１１の捩り方向、軸方向、径方向または上下方向の振動に対して有効であり、特に上下方向が最も高減衰となる。
【００２３】
また、ケース４の外周部にゴム部５を加硫接着した成形品３を二つ向かい合わせに配置してプロペラシャフト１１の内周に圧入する構造であるために、圧入後はゴム部５同士が軸方向に突き合わされる。したがって内部に封入した液体がダンパー１の外部へ漏れるのを有効に防止することができる。
【００２４】
尚、当該ダイナミックダンパー１の組立方法としては、成形品３二つとマス２とを液中で治具へ仮組みしてから、これをシャフト等の取付部材へ圧入するのが好適である。
【００２５】
【発明の効果】
本発明は、以下の効果を奏する。
【００２６】
すなわち、上記構成を備えた本発明の請求項１によるダイナミックダンパーにおいては、マスを加硫接着することなく、ケースの内側にマス保持用のゴム部を設けた成形品を二つ用いてマスを軸方向両側から挟み込み、しかもゴム部に突起部および凹み部を設けた構造としたために、この突起部および凹み部を設けたゴム部によってマスを軸方向両側から軟らかく保持することができる。したがってダイナミックダンパーの共振周波数を比較的低く設定することができ、これにより低周波大振幅の振動を有効に減衰させることができる。
【００２８】
またこれに加えて、突起部および凹み部間の隙間にシリコンオイルまたはグリス等の液体を封入したために、作動時にマスが振動するとゴム部が弾性変形して隙間の形状や容積が円周上の位置によって変化する。したがって液体が隙間内を流動し、このときの流動抵抗によって比較的大きな減衰力が発生するために、この点からも低周波大振幅の振動を有効に減衰させることができる。
【図面の簡単な説明】
【図１】本発明の実施例に係るダイナミックダンパーをプロペラシャフト内周に取り付けた状態を示す図であって、（Ａ）はその断面図、（Ｂ）は同図（Ａ）におけるＡ−Ｏ−Ａ線断面図
【図２】同ダイナミックダンパーにおける成形品の単品図であって、（Ａ）はその断面図、（Ｂ）は同図（Ａ）におけるＢ−Ｏ−Ｂ線断面図
【図３】従来例に係るダイナミックダンパーの断面図
【符号の説明】
１  ダイナミックダンパー
２  マス
３  成形品
４  ケース
５，６  ゴム部
６ａ，６ｂ  支持面
７  突起部
８  凹み部
９  隙間
１１  プロペラシャフト
１２  中空部
【図１】
0003972180.tif 000002
【図２】
0003972180.tif 000003
【図３】
0003972180.tif 000004